(57)【特許請求の範囲】
【請求項１】
カーペット上に露出するマーカー板の下面に、周面に多数の係合歯が軸方向に沿って形成された連結杆を突成してなるマーカー本体と、
前記連結杆が圧入されて、その内周面に係合歯が食い込んで連結される保持筒部を、基板から突成してなる取付けプレートとからなり、マーカー板の周部と基板間でカーペットの縁部を挟持するようにし、
前記基板の表面にカーペットの下面に食い込むズレ止め突起を形成し、
さらには前記マーカー本体を金属製とし、取付けプレートを合成樹脂製とすると共に、前記保持筒部の周囲に補強リブを適宜間隔で連成したことを特徴とする視覚障害者誘導用マーカー。
【請求項２】
カーペット上に露出するマーカー板の下面に、周面に多数の係合歯が軸方向に沿って形成された連結杆を突成してなる金属製マーカー本体と、
前記連結杆が挿入される係合孔が上下方向に形成され、かつ該係合孔内へ係止突片が突成され、係合孔に挿入された連結杆の係合歯に、係止突片の先端が係合して連結される保持筒部を、基板から突成してなる金属製取付けプレートとからなり、マーカー板の周部と基板間でカーペットの縁部を挟持するようにし、
前記基板の表面にカーペットの下面に食い込むズレ止め突起を形成し
さらには、前記マーカー本体と、取付けプレートを金属製とすると共に、
金属製取付けプレートの基板に内側を係合孔とする保持筒部が形成されると共に、その周面で、二箇所をコ字形に切断して、内側に折り込み、これにより、係止突片を対向状に突成したことを特徴とする視覚障害者誘導用マーカー。
【発明の詳細な説明】
【０００１】
【発明の属する技術分野】
本発明は、カーペット等が敷設された屋内の通路に配設される視覚障害者誘導用マーカーに関する。
【０００２】
【従来の技術】
この種の屋内で用いられる視覚障害者誘導用マーカーの従来構成としては、図９で示すように（実用新案登録第３０１３２６６号参照）、取付けプレートａに割溝により内外方向の撓みを可能とした保持突部ｂを形成し、その上部に被着するマーカー本体ｄの下面に、内方へ突成する係止縁ｅを形成して、該係止縁ｅを保持突部ｂの上縁に突成した係止突起ｃと係合することにより、取付けプレートａにマーカー本体ｄを連結するようにしてなり、マーカー本体ｄの周部と取付けプレートａ間でカーペットｘの縁部を挟持するようにしてなるものが提案されている。
【０００３】
また、図１０で示すように（実用新案登録第３００３７０１号参照）、マーカーｈの中心に連結孔ｉを形成し、該連結孔ｉから螺子ｊを床に螺合する構成も提案されている。
【０００４】
【発明が解決しようとする課題】
上述した従来構成にあって、前者の構成は、マーカー本体ｄは、係止突起ｃと係合する位置で上方離脱不能に保持されるものであるから、マーカー本体ｄの周部と取付けプレートａの間隙以上の厚みのカーペットｘは適用不能となり、また薄いカーペットｘを適用すると、マーカー本体ｄが安定的に保持されないという問題点があった。
【０００５】
また、後者の構成にあっては、螺子ｊにより床固定するものであるから、床が傷つくという致命的な欠点があった。
【０００６】
本発明は、かかる従来の問題点を解消し得る視覚障害者誘導用マーカーの提供を目的とするものである。
【０００７】
【課題を解決するための手段】
本発明は、カーペット上に露出するマーカー板の下面に、周面に多数の係合歯が軸方向に沿って形成された連結杆を突成してなるマーカー本体と、前記連結杆が圧入されて、その内周面に係合歯が食い込んで連結される保持筒部を、基板から突成してなる取付けプレートとからなり、マーカー板の周部と基板間でカーペットの縁部を挟持するようにした視覚障害者誘導用マーカーである。
【０００８】
ここで、カーペットの縁部をマーカー板の周部と基板間に位置させて、マーカー板の上面を打圧する。これにより連結杆は保持筒部内に圧入され、カーペットの縁部はマーカー板の周部と基板間で挟持される。このとき、係合歯の歯先は保持筒部の内周面に食い込み、離脱が阻止される。而して、マーカー本体は、無段階的に保持され得るから、カーペットの厚さとほぼ無関係に用いることができる。
【０００９】
かかる構成にあって、前記マーカー本体を金属製とし、取付けプレートを合成樹脂製とすると、その連結杆の係合歯の歯先の食い込みが、その硬度差により容易に確保される。このとき、保持筒部は係合歯により弾性的に拡開するが、あまり復元保持力が弱いと、容易に拡開してしまい、連結杆の保持が不充分となって、マーカー本体は離脱し易くなる。そこで、保持筒部の周囲に補強リブを適宜間隔で連成する。これにより、連結杆の圧入が可能であり、かつ容易に抜けにくい適度な復元保持力を、保持筒部に付与することができる。尚、補強リブに換えて、保持筒部の肉厚を過剰に大きくすると、保持筒部が拡開せず、連結杆の圧入が困難となる。
【００１０】
さらに、マーカー本体の連結杆と、取付けプレートの保持筒部の連結手段として、取付けプレートの保持筒部を、係合孔が上下方向に形成され、かつ該係合孔内へ係止突片が突成され、係合孔に挿入された連結杆の係合歯に、係止突片の先端が係合して連結される構成としても良い。
【００１１】
この構成にあっても、前記マーカー本体は適宜高さ位置で保持されるから、マーカー板の周部と基板間に挟持されるカーペットの厚みの許容幅が広がる。
【００１２】
上述の各構成にあって、前記基板の表面にカーペットの下面に食い込むズレ止め突起を形成するようにしてもよい。この場合には、マーカー板の周部と基板間に挟持されるカーペットの硬質層（下層）に、ズレ止め突起が食い込んで、その端部が保持される。このとき、例えば、マーカー本体の下面にズレ止め突起を形成することも考えられるが、この場合には、カーペット表面の柔らかい部分に食い込むものであるから、引張力に体する保持が不十分となり、ズレ止め効果が弱い。従って、基板の表面にズレ止め突起を突成することにより、カーペットの支持が最適となる。
【００１３】
各構成にあって、連結杆を雄螺子杆により構成し、雄螺子歯を係合歯とすることができる。かかる構成にあっては、カーペットの取り替え等に際して、視覚障害者誘導用マーカーを除去しなければならない場合に、前記マーカー本体を逆回転させることにより、雄螺子歯の螺旋案内作用により、該マーカー本体を容易に離脱させることができる。
【００１４】
【発明の実施の形態】
本発明の第一実施例を、図１〜図５について説明する。
【００１５】
本発明に係る視覚障害者誘導用マーカー１ａは、マーカー本体２および取付けプレート１０とで構成される。このマーカー本体２は金属製からなり、条例で定められた基準に従って円形（図３参照）等に形成された、カーペット上に露出する円板状マーカー板３を備え、その下面中心に、周面に多数の係合歯７（雄螺子歯）が軸方向に沿って形成された螺子杆からなる連結杆８を突成してなる。マーカー板３は、その周縁が下方へ垂下して、その周縁を抑え縁５としており、かつその中央領域に円形の滑り止め面４を備える。この滑り止め面４は、摺動抵抗を増すために格子状溝等が形成されている。そしてこの滑り止め面４により、視覚障害者は、視覚障害者誘導用マーカー１ａの所在を容易に確認し得ることとなる。
【００１６】
また、取付けプレート１０は、合成樹脂製であり、床面に接着剤等で保持される円形基板１１を備え、さらに該基板１１の中央に保持筒部１２を突成している。
【００１７】
この保持筒部１２には、前記連結杆８が挿入されることとなる係合孔１３が上下方向に形成される。この係合孔１３の内径は、連結杆８が圧入されて、その内周面に前記係合歯７が食い込まれるように、連結杆８の歯先径よりも少し小さくなるようにしている。また、保持筒部１２の周囲には、６つの補強リブ１４が基板１１に下面を支持されて連成されている。そして、この補強リブ１４により、前記係合孔１３に連結杆８を圧入したときに、該保持筒部１２の拡開により、その圧入を可能とすると共に、適正な復元保持力を付与して、連結杆８の離脱を阻止するようにしている。
【００１８】
図６は、前記補強リブ１４の端縁相互を連続させる円環１６を形成した変形例の取付けプレート１０’を示し、この円環１６により、各補強リブ１４が相互に連係して、保持筒部１２を補強することとなる。すなわち、上述の構成にあっては、補強リブ１４間で拡開方向の力に対して充分な復元保持力を持つことができないが、かかる円環１６により適正な復元保持力が保証され、連結杆８の引張による離脱を阻止し得ることとなる。
【００１９】
一方、前記基板１１の上面には、図５で示すように、４つのズレ止め突起１８が等角度間隔で突成されている。このズレ止め突起１８は、取付けプレート１０にマーカー本体２を固着した状態で、該ズレ止め突起１８上に抑え縁５が位置するように、該マーカー板３の半径と、ズレ止め突起１８の中心からの位置とをほぼ一致させている。このズレ止め突起１８はカーペットｘの硬質な下面に刺入して、カーペットｘのずれを防止する。
【００２０】
次に、かかる構成の視覚障害者誘導用マーカー１ａの取付手順を説明する。まず、カーペットｘに前記補強リブ１４または、円環１６が内嵌する孔を適宜間隔で形成し、該孔を保持筒部１２及び補強リブ１４または円環１６に外嵌して、保持筒部１２等をカーペットｘの上面から突出させる。そして、マーカー本体２の連結杆８の下端を係合孔１３の口端に一致させてから、マーカー板３を打圧し、係合孔１３内に連結杆８を圧入する。このとき、保持筒部１２は、補強リブ１４，円環１６により適度な復元保持力を付与されているから、拡開して、係合孔１３内へ連結杆８の圧入を許容する。そして、係合孔１３の内面に係合歯７が食い込み、マーカー本体２は無段階的に位置決めされ、マーカー板３の周囲の抑え縁５がカーペットｘの上面に圧接し、この圧接により、前記抑え縁５の直下に位置するズレ止め突起１８が、カーペットｘの下層の硬質層に刺入し、これにより、孔周囲のカーペットｘの縁部は、基板１１と抑え縁５で挟持されてズレ止めが施される。然る後に、カーペットｘが敷設される床上に、カーペットｘに保持されたマーカー１ａの取付けプレート１０，１０’の下面を接着剤等で固着する。
【００２１】
かかる構成にあって、前記マーカー本体２はその打圧により、カーペットｘの厚さに対応して位置決めされて、カーペットｘに圧接するものであるから、カーペットｘの厚さ制限が無いと言ってよく、汎用性が高い。
【００２２】
一方、かかる構成にあって、連結杆８を雄螺子杆により構成し、雄螺子歯を係合歯７としている。このため、カーペットｘの取り替え等に際して、視覚障害者誘導用マーカー１ａを除去しなければならない場合に、前記マーカー本体２を逆回転させることにより、雄螺子歯の螺旋案内作用により、該マーカー本体２を容易に離脱させることができる。
【００２３】
図７，図８は、第二実施例の視覚障害者誘導用マーカー１ｂを示す。
この実施例は、前記マーカー本体２を上述と同様の構成とし、金属製取付けプレート２０を金属製としたものである。この金属製取付けプレート２０は、金属板のプレス加工により製造されるものであり、基板２１に内側を係合孔２３とする保持筒部２２が形成されると共に、その周面で、二箇所をコ字形に切断して、内側に折り込み、これにより、係止突片２４，２４を対向状に突成したものである。
【００２４】
かかる構成にあって、マーカー本体２の連結杆８を保持筒部２２内に圧入すると、連結杆８の螺子溝に係止突片２４，２４が食い込み、これにより、マーカー本体２は適宜位置に保持することができる。
【００２５】
而して上述したように、カーペットｘに形成した孔に保持筒部２２を内嵌した後、保持筒部２２内にマーカー本体２の連結杆８を圧入することにより、カーペットｘの上面にマーカー本体２の抑え縁５が圧接して、該カーペットｘが基板２１及び抑え縁５により保持される。このように、かかる構成にあっても、カーペットｘの厚さと無関係に視覚障害者誘導用マーカー１ｂを適用することができる。
【００２６】
而して、カーペットｘ上面に視覚障害者誘導用マーカー１ａ，１ｂが容易に取り付けられるから、該視覚障害者誘導用マーカー１ａ，１ｂを屋内の誘導路に沿って、適宜間隔で配設することにより、その上面に露出した、マーカー本体２により視覚障害者を適正に誘導することが可能となる。
【００２７】
【発明の効果】
本発明の視覚障害者誘導用マーカは、上述のように、カーペット上に露出するマーカー板の下面に、係合歯が形成された連結杆を突成してなるマーカー本体を備え、取付けプレートに形成された保持筒部に連結杆を圧入して、適宜位置に位置決めするようにしたものであるから、カーペットの縁部をマーカー板の周部と基板間に位置させて、連結杆を叩き込む等の手段により圧入することにより、カーペットの縁部は挟持され、このためカーペットは、その厚さとほぼ無関係に保持され、汎用性が向上する。
【００２８】
また、前記保持筒部内に連結杆を圧入すると、保持筒部の内周面に係合歯が食い込んで、該連結杆が保持筒部に連結されるようにした構成にあって、マーカー本体を金属製とし、取付けプレートを合成樹脂製とすると、その連結杆の係合歯先端の食い込みが確保される。さらには、この場合に、前記保持筒部の周囲に補強リブを適宜間隔で連成したものにあっては、連結杆の圧入が可能で、かつ容易に抜けにくくなる最適な復元保持力を保持筒部に付与し得ることとなる。
【００２９】
さらに、前記基板の表面にカーペットの下面に食い込むズレ止め突起を形成するようにした場合には、マーカー板の周部と基板間に挟持されるカーペットの硬質層に、ズレ止め突起が食い込んで、その端部が保持され、カーペットのズレが防止される。
【００３０】
また各構成にあって、連結杆を雄螺子杆により構成し、雄螺子歯を係合歯とすることができ、かかる構成にあっては、カーペットの取り替え等に際して、視覚障害者誘導用マーカーを除去しなければならない場合に、前記マーカー本体を逆回転させることにより、雄螺子歯の螺旋案内作用により、該マーカー本体を容易に離脱させることができる。
【図面の簡単な説明】
【図１】本発明の第一実施例に係る視覚障害者誘導用マーカー１ａの縦断側面図である。
【図２】同上の分離状態の縦断斜視図である。
【図３】マーカー本体２の平面図である。
【図４】取付けプレート１０の平面図である。
【図５】ズレ止め突起１８を示す要部の縦断側面図である。
【図６】変形例の取付けプレート１０’の平面図である。
【図７】本発明の第二実施例に係る視覚障害者誘導用マーカー１ｂの分離状態の縦断側面図である。
【図８】金属製取付けプレート２０の平面図である。
【図９】従来構成の一例を示す縦断側面図である。
【図１０】従来構成の他例を示す縦断側面図である。
【符号の説明】
１ａ，１ｂ  視覚障害者誘導用マーカー
２  マーカー本体
３  マーカー板
５  抑え縁
７  係合歯
８  連結杆
１０，１０’  取付けプレート
１１  基板
１２  保持筒部
１３  係合孔
１４  補強リブ
１６  円環
１８  ズレ止め突起
２０  金属製取付けプレート
２１  基板
２２  保持筒部
２４  係止突片
ｘ  カーペット
【図１】
0004079500.tif 000002
【図２】
0004079500.tif 000003
【図３】
0004079500.tif 000004
【図４】
0004079500.tif 000005
【図５】
0004079500.tif 000006
【図６】
0004079500.tif 000007
【図７】
0004079500.tif 000008
【図８】
0004079500.tif 000009
【図９】
0004079500.tif 000010
【図１０】
0004079500.tif 000011